(57)【要約】【課題】照明器具の点灯や点滅制御などによる照度変化によりメッセージを伝達することを可能とする。【解決手段】インターネット１に接続可能なマスターコントローラ３と、マスターコントローラ３と例えば無線で通信可能なサテライトコントローラ４〜７と、サテライトコントローラ４〜７から例えば赤外線リモコン信号で制御される照明器具８〜１１とを備えている。サテライトコントローラ４〜７（または照明器具８〜１１）には人の侵入を検知可能なセンサ（振動検知センサ・測距センサ・赤外線焦電センサ等）１２が各々装備され、例えばサテライトコントローラ４のセンサ１２により人の侵入が検知されるとその情報をマスターコントローラ３を通じて他のサテライトコントローラ５〜７を送り、サテライトコントローラ５〜７により照明器具９〜１１を点灯や点滅などの照度変化可能としている。【選択図】　図１
2004047346.tif 000002
【特許請求の範囲】
【請求項１】
インターネットに接続可能なマスターコントローラと、マスターコントローラと通信可能なサテライトコントローラと、サテライトコントローラからの信号で制御される照明器具とを備え、サテライトコントローラ（または照明器具）には人の侵入を検知可能なセンサが装備され、このセンサにより人の侵入が検知されるとその情報をマスターコントローラを通じて他のサテライトコントローラを送り、サテライトコントローラにより照明器具を照度変化可能とした照明制御システム。
【請求項２】
インターネットに接続可能なマスターコントローラと、マスターコントローラと通信可能なサテライトコントローラと、サテライトコントローラからの信号で制御される照明器具とを備え、マスターコントローラとサテライトコントローラ間、または／および、マスターコントローラを介した複数のサテライトコントローラ間で呼び出し機能が備わっている場合、呼び出し機能使用時にサテライトコントローラまたはマスターコントローラにより照明器具を照度変化可能とした照明制御システム。
【発明の詳細な説明】
【０００１】
【発明の属する技術分野】
本発明は、セキュリティ機能または／および呼び出し機能（またはインターホン機能）を備えた通信可能なコントローラによる照明制御システムに関する。
【０００２】
【従来の技術】
インターネットに接続可能なマスターコントローラと、マスターコントローラと通信可能なサテライトコントローラと、サテライトコントローラからの信号で制御される照明器具とを備え、サテライトコントローラ（または照明器具）には人の侵入を検知可能なセンサが装備され、センサにより人の侵入が検知されるとその情報をマスターコントローラを通じて他のサテライトコントローラを送り、サテライトコントローラに装備されたブザーなどによる警告音を鳴らすシステムが提案されている。また、そのようなマスターコントローラとサテライトコントローラ間、または／および、マスターコントローラを介した複数のサテライトコントローラ間で呼び出し機能（またはインターホン機能）が備わっているシステムが提案されている。
【０００３】
【発明が解決しようとする課題】
しかし、不審者の侵入に対する威嚇とか情報伝達が不充分であったり、耳の不自由な人に対する考慮がされていないという解決すべき課題があることに着目されるべきである。本発明はこのような解決すべき課題を鑑み、このシステムが照明器具を制御することを利用し、照明器具の点灯や点滅制御などによる照度変化によりメッセージを伝達することを可能としたものである。
【０００４】
【課題を解決するための手段】
本発明を要約すると、インターネットに接続可能なマスターコントローラと、マスターコントローラと通信可能なサテライトコントローラと、サテライトコントローラからの信号で制御される照明器具とを備え、サテライトコントローラ（または照明器具）には人の侵入を検知可能なセンサが装備され、このセンサにより人の侵入が検知されるとその情報をマスターコントローラを通じて他のサテライトコントローラを送り、サテライトコントローラにより照明器具を照度変化可能とした照明制御システムである。また、もう一つの発明として、インターネットに接続可能なマスターコントローラと、マスターコントローラと通信可能なサテライトコントローラと、サテライトコントローラからの信号で制御される照明器具とを備え、マスターコントローラとサテライトコントローラ間、または／および、マスターコントローラを介した複数のサテライトコントローラ間で呼び出し機能が備わっている場合、呼び出し機能使用時にサテライトコントローラまたはマスターコントローラにより照明器具を照度変化可能とした照明制御システムがある。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図１に示す実施形態による照明制御システムは、インターネット１に例えばサーバ（コンピュータ）２を介して接続可能なマスターコントローラ３と、マスターコントローラ３と例えば無線で通信可能なサテライトコントローラ４〜７と、サテライトコントローラ４〜７から例えば赤外線リモコン信号で制御される照明器具８〜１１とを備えている。そして、サテライトコントローラ４〜７（または照明器具８〜１１）には人の侵入を検知可能なセンサ（振動検知センサ・測距センサ・赤外線焦電センサ等）１２が各々装備され、例えばサテライトコントローラ４のセンサ１２により人の侵入が検知されるとその情報をマスターコントローラ３を通じて他のサテライトコントローラ５〜７を送り、サテライトコントローラ５〜７により照明器具９〜１１を点灯や点滅などの照度変化可能としている。また、１３は携帯電話機などの端末で、外部よりインターネット１に接続可能であり、前記のように人の侵入が検知されるとその情報はマスターコントローラ３を通じてインターネット１に送られるので、外部にて受信可能になっている。
【０００７】
さらに詳述すれば、マスターコントローラ３はサーバ２の周辺機器として作動しており、端末１３からの指令信号でマスターコントローラ３から無線信号または赤外線リモコン信号で照明器具１４を制御可能としているし、サテライトコントローラ４〜７を介して照明器具８〜１１を各々制御可能としている。また、照明器具８〜１１及び１４には各々図示されないブザーが搭載される。なお、照明器具８〜１１及び１４は家庭内の各居室に備えられ、それらに対応してサテライトコントローラ４〜７及びマスターコントローラ３が各居室内に設けられる。また、サテライトコントローラ４〜７やマスターコントローラ３の押しボタン（図示せず）を押すことにより対応する照明器具８〜１１及び照明器具１４のリモコン制御が可能である。
【０００８】
上記システムでは例えば、通常モードとセキュリティモードが選択でき、これらの選択及び細かな設定は外部の端末１３から制御可能である。通常モードの際はセンサ１２の信号は活用されずに通常の照明制御システムとして使用される。例えば、端末１３から照明器具８〜１１及び１４の点灯／消灯などの制御ができる。また、セキュリティモードではセンサ１２の信号は活用され、例えばサテライトコントローラ４のセンサ１２が不審者の侵入等の異常を検知したら、図２のようにマスターコントローラ３へ「▲１▼検知情報」を送り、さらに外部へ「▲２▼情報伝達」すると同時にサテライトコントローラ４〜７に対して「▲２▼制御命令」を出し、サテライトコントローラ４〜７は照明器具８〜１１に対して「▲３▼制御命令」を出す。そうすると、異常のあった部屋の照明器具８を例えば点灯や点滅させて威嚇すると同時に他の部屋の照明器具９〜１１も点灯や点滅させて視覚的に情報伝達する。また、照明器具８〜１１のブザーも鳴らすことができる。これらの実行が終了すると、照明器具８〜１１からは「▲４▼実行終了」信号をサテライトコントローラ４〜７に返し、サテライトコントローラ４〜７は「▲５▼実行終了」信号をマスターコントローラ３に返す。なお、このような異常時にマスターコントローラ３により照明器具１４を点灯や点滅させたり、そのブザーを鳴らせたりしてももちろんよい。
【０００９】
図３は、センサ１２で異常が検知された場合の一例を示し、５秒間に３回以上センサ１２に検知信号があれば、照明器具８〜１１が点灯または点滅され、さらにそこから１０秒間にセンサ１２が１回でも異常を検知すると、ブザーが鳴る。また、３０秒間続けてセンサ１２に異常信号が発生しなければ、照明器具８〜１１は消灯し、ブザーは鳴り止む。
【００１０】
次に、本発明の他の実施形態を述べる。これは、インターネット１に接続可能なマスターコントローラ３と、マスターコントローラ３と例えば無線で通信可能なサテライトコントローラ４〜７と、サテライトコントローラ４〜７から例えば赤外線リモコン信号で制御される照明器具８〜１１とを備え、マスターコントローラ３とサテライトコントローラ４〜７間、または／および、マスターコントローラ３を介した複数のサテライトコントローラ４〜７間で呼び出し機能が備わっている場合、呼び出し機能使用時にサテライトコントローラ４〜７またはマスターコントローラ３により照明器具８〜１１または１４を点灯や点滅などの照度変化を可能とした照明制御システムである。
【００１１】
呼び出し機能とは例えば、マスターコントローラ３から各部屋のサテライトコントローラ４〜７のブザー音を鳴らす制御を行うものである。逆に、各部屋のサテライトコントローラ４〜７からマスターコントローラ３のブザー音を鳴らす情報伝達も可能である。さらに、マスターコントローラ３とサテライトコントローラ４〜７間だけではなく、各部屋のサテライトコントローラ４〜７からマスターコントローラ３経由で他の部屋のサテライトコントローラ４〜７へブザー音などによるコミュニケーション伝達も可能である。なお、相互通話可能なインターホン機能を含んだものでもよい。
【００１２】
図４により呼び出し機能の一例を説明する。まず、サテライトコントローラ４からマスターコントローラ３に対して「▲１▼呼び出し」すると、マスターコントローラ３から「▲２▼制御命令」が照明器具１４に伝達され、照明器具１４のブザーが鳴るとともに照明器具１４が点灯または点滅などする。そして、照明器具１４からは「▲３▼実行終了」信号がマスターコントローラ３に返されて終了する。また、サテライトコントローラ４からサテライトコントローラ５に対して呼び出しすると、「▲１▼呼び出し」信号はマスターコントローラ３を介して「▲２▼制御命令」となってサテライトコントローラ５に伝達され、サテライトコントローラ５は「▲３▼制御命令」信号を照明器具９に送って、そのブザーを鳴らせたり、そのランプを点灯や点滅などする。そして、照明器具９は「▲４▼実行終了」信号をサテライトコントローラ５に送り、サテライトコントローラ５は「▲５▼実行終了」信号をマスターコントローラ３に返して終了する。
【００１３】
本実施形態によれば、人の侵入のような異常検知時や、他の部屋に対しての呼び出し時において、照明器具の点灯や点滅などの照度変化を可能として、不審者への威嚇を可能とし、また、視覚的伝達により耳の不自由な人に対する配慮がなされている。
【図面の簡単な説明】
【図１】本発明の実施形態を示すブロック図
【図２】同異常検知時の信号伝達図
【図３】同波形図
【図４】同呼び出し時の信号伝達図
【符号の説明】
１　インターネット
３　マスターコントローラ
４〜７　サテライトコントローラ
８〜１１、１４　照明器具
１２　センサ
【図１】
2004047346.tif 000003
【図２】
2004047346.tif 000004
【図３】
2004047346.tif 000005
【図４】
2004047346.tif 000006